(57)【特許請求の範囲】
【請求項１】
映像表示部と、
上記映像表示部に投影される映像信号を制御する制御回路と、
上記制御回路に配置された回路素子と、
上記回路素子が配置された基板と、
上記制御回路を内蔵した回路部筺体を備え、
上記映像表示部に投影される映像を観察可能とするレンズ部と組み合わさるヘッドマウントディスプレイにおいて、
上記制御回路と映像表示部が屈曲した位置に配置されており、
上記制御回路から上記レンズ部まで延伸する伝熱板を設けたことを特徴とするヘッドマウントディスプレイ。
【請求項２】
請求項１のヘッドマウントディスプレイにおいて、
上記伝熱板が上記レンズ部と上記映像表示部間に設置されることを特徴とするヘッドマウントディスプレイ。
【請求項３】
請求項１のヘッドマウントディスプレイにおいて、
上記伝熱板が上記映像表示部に支持されていることを特徴とするヘッドマウントディスプレイ。
【請求項４】
請求項１のヘッドマウントディスプレイにおいて、
上記制御回路の回路素子が上記基板よりも頭部に近い側に設置され、
上記伝熱板が上記基板よりも頭部から遠い側に設置されていることを特徴とする ヘッドマウントディスプレイ。
【請求項５】
請求項４のヘッドマウントディスプレイにおいて、
上記回路素子の基板と反対側の面に放熱構造を設置することを特徴とするヘッドマウントディスプレイ。
【請求項６】
請求項１のヘッドマウントディスプレイにおいて、
上記回路部筺体に開口部を設置することを特徴とするヘッドマウントディスプレイ。
【請求項７】
請求項１のヘッドマウントディスプレイにおいて、
上記レンズ部は交換できることを特徴とするヘッドマウントディスプレイ。
【請求項８】
映像表示部と、
上記映像表示部に投影される映像信号を制御する制御回路と、
上記制御回路に配置された回路素子と、
上記回路素子が配置された基板と、
上記制御回路を内蔵した回路部筺体を備え、
上記映像表示部に投影される映像を観察可能とするレンズ部と組み合わさるヘッドマウントディスプレイにおいて、
上記制御回路と映像表示部が屈曲した位置に配置されており、
上記レンズ部と上記映像表示部間に伝熱板が設置されることを特徴とするヘッドマウントディスプレイ。
【請求項９】
請求項8のヘッドマウントディスプレイにおいて、
上記伝熱板が上記映像表示部に支持されていることを特徴とするヘッドマウントディスプレイ。
【請求項１０】
請求項8のヘッドマウントディスプレイにおいて、
上記制御回路の回路素子が上記基板よりも頭部に近い側に設置され、
上記伝熱板が上記基板よりも頭部から遠い側に設置されていることを特徴とするヘッドマウントディスプレイ。
【請求項１１】
請求項10のヘッドマウントディスプレイにおいて、
上記回路素子の基板と反対側の面に放熱構造を設置することを特徴とするヘッドマウントディスプレイ。
【請求項１２】
請求項8のヘッドマウントディスプレイにおいて、
上記回路部筺体に開口部を設置することを特徴とするヘッドマウントディスプレイ。
【請求項１３】
請求項８のヘッドマウントディスプレイにおいて、
上記レンズ部は交換できることを特徴とするヘッドマウントディスプレイ。
【請求項１４】
映像表示部と、
上記映像表示部に投影される映像信号を制御する制御回路と、
上記制御回路に配置された回路素子と、
上記回路素子が配置された基板と、
上記制御回路を内蔵した回路部筺体を備え、
上記映像表示部に投影される映像を観察可能とするレンズ部と組み合わさるヘッドマウントディスプレイにおいて、
上記制御回路と映像表示部が屈曲した位置に配置されており、
上記映像表示部に支持されている伝熱板を有することを特徴とするヘッドマウントディスプレイ。
【請求項１５】
請求項１4のヘッドマウントディスプレイにおいて、
上記制御回路の回路素子が上記基板よりも頭部に近い側に設置され、
上記伝熱板が上記基板よりも頭部から遠い側に設置されていることを特徴とするヘッドマウントディスプレイ。
【請求項１６】
請求項１５のヘッドマウントディスプレイにおいて、
上記回路素子の基板と反対側の面に放熱構造を設置することを特徴とするヘッドマウントディスプレイ。
【請求項１７】
請求項１4のヘッドマウントディスプレイにおいて、
上記回路部筺体に開口部を設置することを特徴とするヘッドマウントディスプレイ。
【請求項１８】
請求項14のヘッドマウントディスプレイにおいて、
上記レンズ部は交換できることを特徴とするヘッドマウントディスプレイ。
【発明の詳細な説明】
【技術分野】
【０００１】
本発明はヘッドマウントディスプレイと呼ばれる映像表示装置に関するものである。
【背景技術】
【０００２】
近年、液晶パネル等のディスプレイ上に表示された映像を、接眼レンズやハーフミラー等を有する光学系を介して映像として観察する眼鏡タイプの映像表示装置が種々提案され、このような装置は、ウェラブルディスプレイ、または、ヘッドマウントディスプレイと呼ばれている。このような装置は、例えば、（特許文献１）に記載されている。
【０００３】
上記の映像表示装置は、両眼に対応する位置に映像表示部を形成した両眼タイプと、左右の眼の一方に対応する位置に映像表示部を形成した片眼タイプとがある。このようなヘッドマウントディスプレイは通常、映像を出力する表示部と音声を出力するヘッドホーンとを有しているが、映像のみを出力する場合もある。上記（特許文献１）記載のヘッドマウントディスプレイでは、内蔵されている回路基板の熱量を筺体表面から逃がす場合に、その面積を一定以上の大きさとすることにより、内部の熱を効率的に放熱するようになっている。
【０００４】
また、このような装置としては、例えば、（特許文献２）に記載されているように、頭部に装着して使用するウェラブルディスプレイが有る。上記（特許文献２）に記載されているウェラブルディスプレイでは、収納された電気回路の熱を表示部アームに伝熱させて逃がすことにより、内部の温度上昇を低減している。
【先行技術文献】
【特許文献】
【０００５】
【特許文献１】特開2008-199216号公報
【特許文献２】WO2008/035612号公報
【発明の概要】
【発明が解決しようとする課題】
【０００６】
このようなウェラブルディスプレイ、または、ヘッドマウントディスプレイにおいて、制御用の電子回路を内部に収納することが必要であり、特に頭部に装着して使用することから、最近、特に小型化、軽量化が求められている。
【０００７】
上記（特許文献１）のヘッドマウントディスプレイは、内蔵されている回路基板の熱量を筺体表面から逃がすとしている。しかし、回路基板の熱が空気層を介して筺体に伝熱されるため、0.026W/mkの熱伝導率の低い空気層を介しての放熱は効率的ではなく、逆に内部の温度上昇を招くことが懸念される。
【０００８】
さらに、小型化の要求から、消費電力を放熱するだけの表面積の確保が難しいため、より効率のよい放熱方法が要求されている。
【０００９】
また、上記（特許文献２）のウェラブルディスプレイは、収納された電気回路の熱を、表示部アームやヘッドホーン表面に伝熱させて逃がすことにより、内部の温度上昇を低減している。しかし、やはり小型化、軽量化の観点から、最近のウェラブルディスプレイでは、ヘッドホーン部分が無いものが多く、ヘッドホーン部分に熱を逃がすことが難しくなってきている。さらに、上記のように小型化が進んだことにより、これまでヘッドホーン部に逃がしていた熱を、表示部アーム部だけにしか逃がすことが出来なくなり、表示部アーム部の温度上昇が懸念されている。なぜなら、ウェラブルディスプレイやヘッドマウントディスプレイは、頭部に装着するため、手や身体が接触することが多い。そのため、表面に温度が高い部位があると安全性の観点から好ましくない。
【００１０】
本発明の目的は、ヘッドマウントディスプレイにおいて、内部の回路の熱を効率的に放熱する伝熱構造を設置し、伝熱構造へ効果的に伝熱すると共に、伝熱構造周囲の空気の流れを阻害することなく、人への安全性を確保して放熱性能を維持することができる、高い信頼性を備えたヘッドマウントディスプレイを提供することにある。
【課題を解決するための手段】
【００１１】
上記目的を達成するために本発明は、映像表示部と、上記映像表示部に投影される映像信号を制御する制御回路と、上記制御回路に配置された回路素子と、上記回路素子が配置された基板と、上記制御回路を内蔵した回路部筺体を備え、上記映像表示部に投影される映像を観察可能とするレンズ部と組み合わさるヘッドマウントディスプレイにおいて、上記制御回路と映像表示部が屈曲した位置に配置されており、上記制御回路から上記レンズ部まで延伸する伝熱板を設けたことを特徴とするものである。
【００１２】
更に、本発明はヘッドマウントディスプレイにおいて、上記伝熱板が上記レンズ部と上記映像表示部間に設置されることを特徴とするものである。
【００１３】
更に、本発明はヘッドマウントディスプレイにおいて、上記伝熱板が上記映像表示部に支持されていることを特徴とするものである。
【００１４】
更に、本発明はヘッドマウントディスプレイにおいて、上記制御回路の回路素子が上記基板よりも頭部に近い側に設置され、上記伝熱板が上記基板よりも頭部から遠い側に設置されていることを特徴とするものである。
【００１５】
更に、本発明はヘッドマウントディスプレイにおいて、上記回路素子の基板と反対側の面に放熱構造を設置することを特徴とするものである。
【００１６】
更に、本発明はヘッドマウントディスプレイにおいて、上記回路部筺体に開口部を設置することを特徴とするものである。
【００１７】
更に、本発明はヘッドマウントディスプレイにおいて、上記レンズ部は交換できることを特徴とするものである。
【００１８】
また、上記目的を達成するために本発明は、映像表示部と、上記映像表示部に投影される映像信号を制御する制御回路と、上記制御回路に配置された回路素子と、上記回路素子が配置された基板と、上記制御回路を内蔵した回路部筺体を備え、上記映像表示部に投影される映像を観察可能とするレンズ部と組み合わさるヘッドマウントディスプレイにおいて、上記制御回路と映像表示部が屈曲した位置に配置されており、上記レンズ部と上記映像表示部間に伝熱板が設置されるように構成した。
【００１９】
更に、本発明はヘッドマウントディスプレイにおいて、上記伝熱板が上記映像表示部に支持されていることを特徴とするものである。
【００２０】
更に、本発明はヘッドマウントディスプレイにおいて、上記制御回路の回路素子が上記基板よりも頭部に近い側に設置され、上記伝熱板が上記基板よりも頭部から遠い側に設置されていることを特徴とするものである。
【００２１】
更に、本発明はヘッドマウントディスプレイにおいて、上記回路素子の基板と反対側の面に放熱構造を設置することを特徴とするものである。
【００２２】
更に、本発明はヘッドマウントディスプレイにおいて、上記回路部筺体に開口部を設置することを特徴とするものである。
【００２３】
更に、本発明はヘッドマウントディスプレイにおいて、上記レンズ部は交換できることを特徴とするものである。
【００２４】
また、上記目的を達成するために本発明は、映像表示部と、上記映像表示部に投影される映像信号を制御する制御回路と、上記制御回路に配置された回路素子と、上記回路素子が配置された基板と、上記制御回路を内蔵した回路部筺体を備え、上記映像表示部に投影される映像を観察可能とするレンズ部と組み合わさるヘッドマウントディスプレイにおいて、上記制御回路と映像表示部が屈曲した位置に配置されており、上記映像表示部に支持されている伝熱板を有するように構成した。
【００２５】
更に、本発明はヘッドマウントディスプレイにおいて、上記制御回路の回路素子が上記基板よりも頭部に近い側に設置され、上記伝熱板が上記基板よりも頭部から遠い側に設置されていることを特徴とするものである。
【００２６】
更に、本発明はヘッドマウントディスプレイにおいて、上記回路素子の基板と反対側の面に放熱構造を設置することを特徴とするものである。
【００２７】
更に、本発明はヘッドマウントディスプレイにおいて、上記回路部筺体に開口部を設置することを特徴とするものである。
【００２８】
更に、本発明はヘッドマウントディスプレイにおいて、上記レンズ部は交換できることを特徴とするものである。
【発明の効果】
【００２９】
本発明によれば、内部の制御回路の熱を効率的に外部に逃がすと共に、人への安全性を確保し、放熱性能を維持することができ、装置としての信頼性を備えたヘッドマウントディスプレイを提供できる。
【図面の簡単な説明】
【００３０】
【図１】本発明の実施例に係るヘッドマウントディスプレイを説明する正面図である。
【図２】本発明の実施例に係るヘッドマウントディスプレイを説明する上面図である。
【図３】本発明の実施例に係るヘッドマウントディスプレイを説明する断面図である。
【図４】本発明の実施例に係るヘッドマウントディスプレイのカバーを説明する正面図である。
【図５】本発明の実施例に係るヘッドマウントディスプレイのカバーを説明する正面図である。
【図６】本発明の他の実施例に係る伝熱板を説明する断面図である。
【図７】本発明の他の実施例に係る伝熱板を説明する断面図である。
【図８】本発明の他の実施例に係る伝熱板を説明する正面図である。
【図９】本発明の実施例に係る伝熱板を説明する斜視図である。
【図１０】本発明の他の実施例に係る伝熱板を説明する斜視図である。
【図１１】本発明の他の実施例に係る断熱板を説明する断面図である。
【図１２】本発明の他の実施例に係る放熱構造を説明する断面図である。
【図１３】本発明の他の実施例に係る放熱構造を説明する斜視図である。
【図１４】本発明の他の実施例に係る放熱構造を説明する断面図である。
【図１５】本発明の他の実施例に係るヘッドマウントディスプレイを説明する斜視図である。
【発明を実施するための形態】
【００３１】
以下、実施例を図面にしたがって説明する。  
【実施例１】
【００３２】
図１に本発明が適用されるヘッドマウントディスプレイ１の正面上方から見た正面図を示す。
【００３３】
図１に示すヘッドマウントディスプレイ１には、固定部である装着者の耳に接触する２つのフレーム部２と上記両者を連結するレンズフレーム３と、顔面に対向する位置に上記レンズフレーム３によって支持される単数、または、複数のレンズ部４と、上記レンズ部４の近傍に配置される映像表示部５ａと上記映像表示部５ａに情報を出力する制御回路６と制御回路６を内蔵する回路部筺体７により構成される。回路部筺体７と映像表示部５ａは連結部５ｂで連結されている。
【００３４】
映像表示部５ａのレンズ部４に対向する位置には、制御回路６から出力された映像が表示され、映像を目で見ることが出来る。回路部筺体７には、図示しないが、音声を音、または、振動により出力するスピーカー及び集音するマイクが設置されている。また、上記映像表示部５ａには、図示しないカメラも設置されており、映像を制御回路６に取り込むことも可能である。
【００３５】
上記制御回路６内部には、図示しないが、ジャイロセンサや加速度センサ、地磁気センサ等よりなるセンサが内蔵されており、位置情報や水平度の情報などを常にモニタし、撮影や画像表示、位置情報表示に適用することも可能となっている。また、上記ヘッドマウントディスプレイ1には、図示しないが、照度センサが外部に設置されており、照度が変化すると、映像表示部５ａ内の発光部の光量が自動的に調光されて、映像を見やすくする機能が内蔵されている。
【００３６】
図２は、ヘッドマウントディスプレイ１を頭部に装着した際の上面図であり、図２において、制御回路６を収納する回路部筺体７は、ポリカーボネート等の内部が透ける透明な樹脂で作製されているとする。また、図２において、フレーム部２は、頭部装着に合わせて、軽量で折り曲げ可能な、チタン等の金属、または、樹脂製の素材で形成されることが望ましい。
【００３７】
図２に示すように、本発明のヘッドマウントディスプレイ１は、制御回路６と映像表示部５ａが屈曲した位置に離隔して配置される。また、制御回路６の基板９上に回路素子８が搭載されている。回路素子８は基板９より頭部に近い側に配置され、伝熱板１１ａは基板９より頭部に遠い側に配置されている。
【００３８】
さらに詳しく図３を用いて説明する。図３は、本発明が適用される図２で示したヘッドマウントディスプレイ１の制御回路６の詳細を説明する拡大断面図である。
【００３９】
本発明の第１の実施例では、図３に示すように、回路素子８は基板９を基準として、頭部に近い側に設置されており、回路素子８の熱は、基板９に対して頭部から遠い側に設置された伝熱板１１ａに伝熱される。伝熱板１１ａは、制御回路６からレンズ部４まで延伸するＬ字型構造になっている。
【００４０】
各回路素子８の熱は回路素子８表面の空気層よりも、接触熱抵抗のより低い基板９の方へ多く伝熱するように構成されている。従って、上記の配置とすることにより、制御回路６の熱を効率的に伝熱板１１ａに逃がすことが可能となる。また、図３に示すように、映像表示部５ａと制御回路６は屈曲した位置に離隔して配置されており、両者を連結する連結部５ｂに沿って、伝熱板１１ａをレンズ部４と映像表示部５ａ間にまで延伸して配設することにより、伝熱板１１ａの表面積を大きくして放熱の効果を上げると共に、連結部分が外気にさらされることにより、さらに温度上昇を低減することが可能となる。また、伝熱板１１ａを連結部５ｂに沿って配設するため、装着時に伝熱板１１ａが邪魔になることもない。
【００４１】
図３においては、レンズ部４と映像表示部５ａ間にまで延伸した伝熱板１１ａは、レンズ部４の表面に接触して支持されている。
【００４２】
また、他の実施例では、伝熱板１１ａとレンズ部４との間に隙間を設けて通気性を良くすることにより、伝熱板１１ａの放熱性能をさらに向上させるように配置することも可能である。
【００４３】
また、伝熱板１１ａと映像表示部５ａとの間に、隙間を設けて、通気性を確保することもできる。
【００４４】
図３においては、各回路素子８に対応した各位置にアルミ合金等の金属で形成した伝熱ピン１０を基板９内に配置する。各回路素子８の熱は、基板９を貫通する伝熱ピン１０を介して、伝熱板１１ａへ伝熱される。伝熱板１１ａは、連結部５ｂを介して映像表示部５ａに沿う形でレンズ部４まで延伸し、各回路素子８の熱を放熱する。伝熱板１１ａの外部に延伸した部分には、表面にカバー１２が設置され、人が手を触れないようになっており、安全性が確保される。
【００４５】
伝熱ピン１０の配置及び個数、形状は、各回路素子８の発熱量に応じて、例えば、発熱量が回路素子８の中で比較的に大きい場合には、伝熱ピン１０の個数を多くし、少ない場合には、個数を少なくする等の調整を行うことにより、各回路素子８の上昇温度を発熱量に応じて制御することが可能となる。上記のような伝熱ピン１０を形成することにより、回路素子８の熱量を伝熱板１１ａに伝熱し、効率的に外部に放熱することができる。
【００４６】
図４は、図１から図３に示す両眼タイプのヘッドマウントディスプレイ１をレンズ部４の正面側から見た正面図である。図４及び図５において、映像表示部５ａは説明のため、取り外した状態を示している。
【００４７】
図４において、回路部筺体７から延伸した伝熱板１１ａは、連結部５ｂに沿ってレンズ部４の表面または内部に形成される。図４は、伝熱板１１ａがレンズ部４の表面に設置された場合を示している。内部ではなく、レンズ部４の表面に設置された場合には、安全性の観点から手が触れないようにカバー１２を設けることが必要となる。図４では、カバー１２として、透明な樹脂性の縞目状のカバーを設置した場合を示している。上記のカバー１２を設置することにより、図３に示す回路素子８の熱を、延伸された伝熱板１１ａへ逃がすと共に安全性を確保することが可能となる。なお、図４は縞目状のカバー１２であるが、網目状のカバー１２でも同様の効果を得ることができる。また、カバー１２は樹脂製、または、金属製で、伝熱板１１ａの周囲を空気が通過でき、内部の伝熱板１１ａが空気で冷却される形状で形成される。
【００４８】
図５は、片眼タイプのヘッドマウントディスプレイ１に本発明の伝熱板１１ａ及びカバー１２を適用した場合を示している。片眼タイプのヘッドマウントディスプレイ１は、フレーム部２及び鼻あて１３により、レンズフレーム３が頭部に固定されるようになっている。図５のような、片眼タイプのヘッドマウントディスプレイ１でも、図４に示す両眼タイプのヘッドマウントディスプレイ１と同様に、伝熱板１１ａを設置することにより効果的に熱を逃がすことが可能となる。
【００４９】
また、他の実施例では、上記の伝熱板１１ａは、カバー１２を設置することにより、安全性を確保できるため、映像表示部５ａの正面側に延伸することも可能である。
【実施例２】
【００５０】
図６に示す伝熱板１１ｂは、第２の実施例を示している。図６に示すように、第２の実施例では、伝熱板１１ｂは、フレーム部２に沿って、制御回路６に対して映像表示部５ａの反対側（頭部後方）に延伸する構造を示している。また、上記の伝熱板１１ｂは、放熱性能を高めるために面積を増加させて、頭部後方を囲むように形成することもできる。また、頭部後方まで延伸することにより、ヒートパイプやファン等の放熱部材と組み合わせることも可能である。
【００５１】
上記のような構成とすることにより、発熱に鈍感な頭部後方に熱を逃がすことができ、放熱性能をより高めることが可能となる。また、上記の伝熱板１１ｂにおいても、伝熱板１１ａと同様に図６に示すカバー１２を設置することにより、安全性を保つことが可能となる。
【実施例３】
【００５２】
さらに図７に示す第３の実施例では、第１の実施例である頭部前方に延伸する伝熱板
１１ａと頭部後方に延伸する伝熱板１１ｂを組み合わせて使用する実施例を示している。上記のように、頭部前方と後方に伝熱板１１ａ、１１ｂを設置することにより、より高い放熱性能を確保することができ、装置としての信頼性を向上させることが可能となる。
【実施例４】
【００５３】
図８は頭部後方に延伸する伝熱板１１ｂを円形の耳あて１１ｃとして形成し、放熱する第４の実施例を示している。耳に接触する部分には、図示しないが、断熱部材が設置されており、頭部の安全性は確保されている。上記のような、面積の大きい耳あて１１ｃを伝熱板として伝熱、放熱することにより、放熱性能を高めることができる。
【００５４】
図９は、第１の実施例である伝熱板１１ａを示している。図９に示すように、第１の実施例の伝熱板１１ａは、連結部５ｂに沿って同じ面積で重なるようにレンズ部４まで延伸する構造であり、断面は長方形となる。
【実施例５】
【００５５】
図１０は、第５の実施例である伝熱板１１ｄを示している。第５の実施例の伝熱板１１ｄでは、図１０に示すように、伝熱板１１ｄの上部の伝熱面積を大きくして伝熱性能を上げると共に、下部に通気性の良い網目構造を設けることにより、放熱構造も設置し、放熱性も同時に高めることが可能な構造を示している。
【実施例６】
【００５６】
図１１は本発明を適用したヘッドマウントディスプレイ１の第６の実施例を示す。第６の実施例では、図３に示した制御回路６を内蔵した回路部筺体７の基板９よりも頭部に近い側の側面内部に断熱板または断熱材１４を設置した構造を示している。図１１に示すように、断熱板または断熱材１４を設置することにより、基板９よりも頭部に近い側の側面が熱くなることを防止し、安全性を向上させることができる。
【実施例７】
【００５７】
図１２は、本発明を適用したヘッドマウントディスプレイ１の第７の実施例を示す。第７の実施例では、図１２に示す制御回路６の回路素子８において、回路素子８の表面にヒートシンク等の放熱構造１５を設置した実施例を示している。
【００５８】
図１３に図１２の実施例を基板９よりも頭部に近い側から見た斜視図を示す。図１３（ａ）は回路部筺体７を外側から見た斜視図であり、（ｂ）は内部の放熱構造１５を示す斜視図である。図１３において、回路部筺体７の放熱構造１５を設置した側面の上下部分は開口部になっており、空気を通過させて放熱構造１５を冷却するようになっている。また、回路部筺体７の基板９よりも頭部に近い側の側面内部には、図１２と同様に断熱板または断熱材１４が設置されており、回路部筺体７の頭部に近い側の側面が熱くなることを防止している。従って、安全性を確保すると共に、制御回路６の回路素子８の熱を効率的に逃がすことが可能となる。
【実施例８】
【００５９】
図１４は、図１２において設置した放熱構造１５を各回路素子８の配置に応じた位置に、各回路素子８の発熱量に応じた面積となるように、個別に分離して設置した第８の実施例を示している。図１４のように、放熱構造１５を、個々の回路素子８に対応して個別に配置することにより、各発熱量に応じた放熱構造１５の面積を設定して、効率的に各回路素子８を冷却することが出来る。また、放熱構造１５を個々の回路素子８に対応するように分離して設置することにより、放熱構造１５上で複数の回路素子８の発熱量が加算されて、相乗効果により温度上昇が促進されることも防止することも可能となる。
【００６０】
上記に述べたように、伝熱板１１を設置することにより、制御回路６の熱を効率的に外部に逃がすと共に、安全性も確保できるヘッドマウントディスプレイ１を提供できる。
【００６１】
また、更なるヘッドマウントディスプレイ１としての信頼性を確保するには、ダブルフェイルセーフとして、身体と接触するフレーム部２の近辺、映像表示部５ａ及び上記制御回路６等において、温度センサを複数設置し、各センサ位置の上限温度を超えそうな場合には、電力を下げる等の安全策を二重で設けることがより望ましい。また、図示しないが、回路部筺体７の頭部側の側面等に頭部を検出する近接センサを設置し、装着状態を検出して非装着には電源をオフ、または、省電力モードにして、ヘッドマウントディスプレイ１の温度を下げることがより望ましい。
【実施例９】
【００６２】
前述の実施例においては、映像表示部5a等がレンズ４と組み合ったヘッドマウントディスプレイ１を開示しているが、図１５は既存の眼鏡等に対して、映像表示部5a等の装置を後付けで組み合わせる構成のヘッドマウントディスプレイ１を提供するものである。図１５において（ａ）は映像表示部5aと回路部筐体７及び連結部５ｂ、透明レンズ４より構成されるヘッドマウントディスプレイ１を示している。また、（ｂ）は（ａ）においてレンズを除去したヘッドマウントディスプレイ１である。図１５に示すヘッドマウントディスプレイ１は、留め具2０で既存の眼鏡等のフレーム部に装着可能である。上記実施例の場合は、いろいろな種類のレンズに装着することが可能である。
【符号の説明】
【００６３】
１…ヘッドマウントディスプレイ、２…フレーム部、３…レンズフレーム、４…レンズ部、５ａ…映像表示部、５ｂ…連結部、６…制御回路、７…回路部筺体、８…回路素子、９…基板、１０…伝熱ピン、１１…伝熱板、１２…カバー、１３…鼻あて、１４…断熱板、１５…放熱構造、２０…留め具
【図１】
0006446257.tif 000002
【図２】
0006446257.tif 000003
【図３】
0006446257.tif 000004
【図４】
0006446257.tif 000005
【図５】
0006446257.tif 000006
【図６】
0006446257.tif 000007
【図７】
0006446257.tif 000008
【図８】
0006446257.tif 000009
【図９】
0006446257.tif 000010
【図１０】
0006446257.tif 000011
【図１１】
0006446257.tif 000012
【図１２】
0006446257.tif 000013
【図１３】
0006446257.tif 000014
【図１４】
0006446257.tif 000015
【図１５】
0006446257.tif 000016